(57)【要約】【課題】表紙カバーの外面と内面のデザインを変化させることができ、筆記帳を固定し、筆記帳が携帯時に開閉するのを防ぐブックカバーを提供すること。【解決手段】表紙カバー１と、裏表紙カバー２と、表紙カバー１及び裏表紙カバー２の間に設置された背部３と、表紙カバー１に連接されたそで部４を含み、表紙カバー１の内面に画像表示片を収容できるポケット１１が設けられ、ポケット１１に表紙カバー１の外面側に貫通した穿孔及び表紙カバー１の内面側に貫通した穿孔が設けられ、穿孔に透明シート１２が設置され、表紙カバー１とそで部４の間に挿入孔１３が設けられ、裏表紙カバー２の内面に筆記帳の裏表紙を挿入する袋部２１が設けられ、裏表紙カバー２の側縁部に折り曲げ可能なブックバンド片２３が設置され、ブックバンド片２３の先端部に、挿入孔１３へ抜挿可能に差し込まれる挿入端２４が形成される。【選択図】図１
0003223176.tif 000002
【実用新案登録請求の範囲】
【請求項１】
ブックカバーであって、表紙カバーと、裏表紙カバーと、該表紙カバー及び該裏表紙カバーの間に設置された背部と、前記表紙カバーの前記背部と逆側に連接されたそで部を含み、
前記表紙カバーの内面に画像表示片を収容できる複数のポケットが設けられ、かつ該ポケットに前記表紙カバーの外面側に貫通した穿孔及び前記表紙カバーの内面側に貫通した穿孔がそれぞれ設けられ、該穿孔に透明シートが設置され、前記表紙カバーと前記そで部との間に少なくとも１つの挿入孔が設けられ、
前記裏表紙カバーの内面に筆記帳の裏表紙を挿入して固定できる袋部が設けられ、前記裏表紙カバーの前記背部と逆側の側縁部に折り曲げ可能なブックバンド片が設置され、かつ該ブックバンド片の先端部に、前記挿入孔へ抜挿可能に差し込まれる挿入端が形成されたことを特徴とする、ブックカバー。
【請求項２】
前記挿入孔が複数設けられ、前記裏表紙カバーの縁部に内面側へ折り曲げ可能な支持片が設置され、かつ該支持片の先端部に、前記挿入孔へ抜挿可能に差し込まれる挿入端が形成されたことを特徴とする、請求項１に記載のブックカバー。
【請求項３】
前記ポケットの透明シートの外部に可動的に開閉できる不透明な開閉片が連接され、該開閉片を閉じたとき、前記透明シートを覆うことができることを特徴とする、請求項１に記載のブックカバー。
【請求項４】
前記表紙カバー、前記裏表紙カバー、前記背部、前記そで部間を相互に折り曲げ、該筆記帳を被覆するために用いることを特徴とする、請求項１に記載のブックカバー。
【考案の詳細な説明】
【技術分野】
【０００１】
本考案は、表紙カバー内面に画像表示片を挿入できる複数のポケットが設けられ、画像表示片の交換により表紙カバーの外面と内面のデザインを変えることができ、同時にブックバンド機能を備えた、ブックカバーに関する。
【背景技術】
【０００２】
一般的な筆記帳は、２枚の外表層を備え、２枚の外表層間に挟んで多数の筆記層が設けられている。
従来のブックカバーは、内部の筆記帳を保護するためのものであり、その機能は筆記帳の保護にとどまり、筆記帳の機能も筆記に用いるためだけにとどまる。このため、ブックカバーと筆記帳で構成される組立体は筆記に用いることが唯一の機能であり、その他の用途に用いることができないため、その使用上の機能が単調で、実用性に劣る。
【０００３】
従来、ブックカバーの実用性を高めるために、色や厚みを変化させることで改良を図っている。色の変化によって、筆記帳は中身が見えづらくなり、プライバシーが保護される。厚みの変化はブクカバーを磨耗に強くして使用寿命を延長するために用いられる。結局、従来のブックカバーの目的は筆記帳の保護のみであり、その他の用途を果たす構造ではなかった。
【考案の概要】
【考案が解決しようとする課題】
【０００４】
本考案が解決しようとする課題は、表紙カバーの外面と内面のデザインを変化させることができ、筆記帳を固定し、筆記帳が携帯時に開閉するのを防ぐブックカバーを提供することにある。
【課題を解決するための手段】
【０００５】
本考案のブックカバーは、表紙カバーと、裏表紙カバーと、該表紙カバー及び該裏表紙カバーの間に設置された背部と、前記表紙カバーの前記背部と逆側に連接されたそで部を含み、前記表紙カバーの内面に画像表示片を収容できる複数のポケットが設けられ、かつ該ポケットに前記表紙カバーの外面側に貫通した穿孔及び前記表紙カバーの内面側に貫通した穿孔がそれぞれ設けられ、該穿孔に透明シートが設置され、前記表紙カバーと前記そで部との間に少なくとも１つの挿入孔が設けられ、前記裏表紙カバーの内面に筆記帳の裏表紙を挿入して固定できる袋部が設けられ、前記裏表紙カバーの前記背部と逆側の側縁部に折り曲げ可能なブックバンド片が設置され、かつ該ブックバンド片の先端部に、前記挿入孔へ抜挿可能に差し込まれる挿入端が形成される。
【０００６】
前記挿入孔が複数設けられ、前記裏表紙カバーの縁部に内面側へ折り曲げ可能な支持片が設置され、かつ該支持片の先端部に、前記挿入孔へ抜挿可能に差し込まれる挿入端が形成されることが望ましい。
【０００７】
前記ポケットの透明シートの外部に可動的に開閉できる不透明な開閉片が連接され、該開閉片を閉じたとき、前記透明シートを覆うことができるようにしてもよい。
【考案の効果】
【０００８】
本考案によれば、収集した絵、写真等の画像表示片を表紙カバーのポケットの中に挿入し、ブックカバーの表紙カバーの外面と内面のデザインを変化させることができ、また、ブックバンド片をしおりとして使用したり、ブックバンド片を挿入孔内に挿入して、筆記帳を側縁部で固定し、筆記帳が開かないように固定したりすることができる。
【図面の簡単な説明】
【０００９】
【図１】本考案の第１の実施形態を示すブックカバーの展開斜視図である。
【図２】本考案の第１の実施形態を示すブックカバーのそで部を折り曲げた状態における斜視図である。
【図３】本考案の第１の実施形態を示すブックカバーの画像表示片展開斜視図である。
【図４】本考案の第１の実施形態を示すブックカバーの表紙カバーを折り曲げた状態における斜視図である。
【図５】本考案の第１の実施形態を示すブックカバーの筆記帳に取り付けた状態における斜視図である。
【図６】本考案の第１の実施形態を示すブックカバーの閉じた状態における斜視図である。
【図７】本考案の第２の実施形態を示すブックカバーの斜視図である。
【考案を実施するための形態】
【００１０】
以下、図面に基づいて本考案の実施形態を詳細に説明する。
【００１１】
［第１の実施形態］
図１から図６は第１の実施形態を示す。
ブックカバーは、表紙カバー１と、裏表紙カバー２と、表紙カバー１及び裏表紙カバー２の間に設けられた背部３と、背部３と逆側において表紙カバー１に連接されたそで部４を含み、表紙カバー１、裏表紙カバー２、背部３、そで部４間を相互に折り曲げることができる。
【００１２】
表紙カバー１の内部には、複数の画像表示片６を収容できる複数のポケット１１が設けられる。ポケット１１には、表紙カバー１の外面側に貫通した穿孔及び表紙カバー１の内面側に貫通した穿孔がそれぞれ設けられ、穿孔は透明シート１２が設置されて閉鎖されている。ポケット１１に画像表示片６を挿入していないとき、ポケット１１の両面に形成された穿孔は相互に連通している。
また、表紙カバー１とそで部４との間には、境界線に沿って複数の挿入孔１３が設けられる。
【００１３】
裏表紙カバー２の内面に筆記帳の裏表紙を挿入して固定できる袋部２１が設けられる。また、裏表紙カバー２の背部３と逆側の側縁部近くに、裏表紙カバー２の内面側へ折り曲げることができる支持片２２とブックバンド片２３が設置され、かつ支持片２２及びブックバンド片２３の先端部に折り曲げ可能な挿入端２４が形成される。
【００１４】
使用時は、筆記帳５の裏表紙を裏表紙カバー２の袋部２１内に挿入する。筆記帳５の厚さは背部３の幅とほぼ同じである。また、そで部４は折り曲げて筆記帳５の表紙内側に挿入し、ブックカバーで筆記帳５を被覆することができる（図６参照）。
使用者はさらに画像表示片６を表紙カバー１のポケット１１内に挿入し、かつ画像表示片６を表紙カバー１の外面および表紙カバー１の内面に表示させるかを選択できる。これにより画像表示片６を交換することで、ブックカバーの表紙カバー１の外面と表紙カバー１の内面のデザインを変化させることができる（図３参照）。
さらに、ポケット１１は複数の画像表示片６を収容でき、画像表示片６の表示面を表紙カバー１の外面と表紙カバー１の内面にそれぞれ向けることができる。
【００１５】
このほか、支持片２２の先端部の挿入端２４は折り曲げ可能で、挿入孔１３内に挿入でき、表紙カバー１、裏表紙カバー２及び支持片２２の三者間で三角構造を形成し、筆記帳５を縦または横に立てて使用することで、ブックカバーをフォトフレームとすることもできる。
【００１６】
また、ブックバンド片２３は筆記帳５内に挿入し、しおりとして使用できるほか、筆記帳５のページが使用（書写や貼付）によって厚くなってきたとき、ブックバンド片２３の先端部の挿入端２４を挿入孔１３内に挿入し、筆記帳５が厚みで膨張して開かないようにするために用いることができる。
【００１７】
［第２の実施形態］
図７は第２の実施形態を示す。
本実施形態では、ポケット１１の穿孔部分に、透明シート１２のほか可動的に開閉できる不透明な開閉片１４を連接してある。開閉片１４を閉じたとき、透明シート１２を覆うことができ、使用者は必要に応じて開閉片１４を開閉することができる。
その他の構造は、第１の実施形態と同様なので、詳細な説明を省略する。
【００１８】
このブックカバーは次のような特徴を有する。
１．収集した絵、写真等の画像表示片を表紙カバーのポケットの中に挿入し、ブックカバーの表紙カバーの外面と内面のデザインを変化させることができる。
２．ブックバンド片の設置により、ブックバンド片をしおりとして使用したり、ブックバンド片を挿入孔内に挿入して、筆記帳を側縁部で固定し、筆記帳が開かないように固定したりすることができる。
３．支持片を挿入孔内に挿入して、表紙カバー、裏表紙カバー及び支持片の間で三角形の構造を形成し、ブックカバーを縦または横に立たせ、フォトフレームの機能を形成することができる。
【００１９】
以上は本考案の好ましい実施形態の説明にすぎず、本考案の権利範囲を制限するものではなく、本考案の要旨を逸脱しない変更はすべて、本考案の権利範囲に含まれる。本考案の要旨は、実用新案登録請求の範囲に記載されたとおりである。
【符号の説明】
【００２０】
１    表紙カバー
１１  ポケット
１２  透明シート
１３  挿入孔
１４  開閉片
２    裏表紙カバー
２１  袋部
２２  支持片
２３  ブックバンド片
２４  挿入端
３    背部
４    そで部
５    筆記帳
６    画像表示片
【図１】
0003223176.tif 000003
【図２】
0003223176.tif 000004
【図３】
0003223176.tif 000005
【図４】
0003223176.tif 000006
【図５】
0003223176.tif 000007
【図６】
0003223176.tif 000008
【図７】
0003223176.tif 000009